(57)【要約】【課題】  屋外に敷設、或いは埋設して使用される上記構成の波付トラフにおいて、その強度を更に高めて、太陽熱、土圧等による変形に対して強い構造にすることである。【解決手段】  ケーブル類を収容するベースＢと、該ベースＢに覆蓋されるカバーＣとから成り、前記ベースＢ及び前記カバーＣには、所定ピッチの凸部１，１１が幅方向に設けられて、長手方向に沿って凹凸状に形成され、しかも、ベースＢ及びカバーＣの各凸部のピッチは、同一であるか、又は整数倍の関係にあり、前記カバーＣの凸部１１の開口側に臨む嵌合部１３は、前記ベースＢの凸部１の開口側に臨む被嵌合部３の外側に嵌合可能になった波付トラフであって、前記ベースＢの内側の凹部１’、又は前記カバーＣの外側の凹部１２は、略Ｕ字状をした補強具Ｒ1 ，Ｒ2 が挿入保持可能な構造とする。【選択図】        図１
2006014599.tif 000002
【特許請求の範囲】
【請求項１】
ケーブル類を収容するベースと、該ベースに覆蓋されるカバーとから成り、
前記ベース及び前記カバーには、所定ピッチの凸部が幅方向に設けられて、長手方向に沿って凹凸状に形成され、しかも、ベース及びカバーの各凸部のピッチは、同一であるか、又は整数倍の関係にあり、前記カバーの凸部の開口側に臨む嵌合部は、前記ベースの凸部の開口側に臨む被嵌合部の外側に嵌合可能となった構成の波付トラフであって、
前記ベースの内側の凹部、又は前記カバーの外側の凹部は、略Ｕ字状をした補強具が挿入保持可能な構造になっていることを特徴とする波付トラフ。
【請求項２】
請求項１に記載の波付トラフと、該波付トラフを構成するベースの内側の凹部、又は同様のカバーの外側の凹部に挿入保持される略Ｕ字状をした補強具と、から成ることを特徴とする波付トラフ装置。
【発明の詳細な説明】
【技術分野】
【０００１】
本発明は、光ケーブル等のケーブル類を保護するために、特に屋外に敷設、或いは埋設して用いられる樹脂製の波付トラフ及びその装置に関するものである。
【背景技術】
【０００２】
本出願人は、特願2001-85045号として、「ケーブル類を収容するベースと、該ベースに覆蓋されるカバーとから成るトラフであって、前記ベース及び前記カバーには、所定ピッチの凸部が幅方向に設けられて、長手方向に沿って凹凸状に形成され、しかも、ベース及びカバーの各凸部のピッチは、同一であるか、又は整数倍の関係にあり、前記カバーの凸部の開口側に臨む嵌合部は、前記ベースの凸部の開口側に臨む被嵌合部の外側に嵌合可能になっている波付トラフ」の出願を行った。
【０００３】
上記波付トラフは、ベース及びカバーの双方が、その長手方向に沿って凹凸状に形成されていて、その肉厚を厚くしなくても、長手方向の曲げ強度、捩り強度等が大きくなるために、ケーブル類を収容して、屋外で使用する場合において、太陽熱等による熱変形に対して強い構造になると共に、長尺で取り扱われる場合にも、その取り扱いが容易となる利点がある。また、カバーの嵌合部が、ベースの被嵌合部の外側に嵌合することにより、ベースに対してカバーが「傘」の役目をするので、トラフ内への雨水等の浸入を防ぐことができて、ケーブル類保護の信頼性が高まるという利点もある。
【発明の開示】
【発明が解決しようとする課題】
【０００４】
本発明は、屋外に敷設、或いは埋設して使用される上記構成の波付トラフにおいて、その強度を更に高めて、太陽熱、土圧等による変形に対して強い構造にすることを課題としている。
【課題を解決するための手段】
【０００５】
上記の課題を解決するための請求項１の発明は、ケーブル類を収容するベースと、該ベースに覆蓋されるカバーとから成り、前記ベース及び前記カバーには、所定ピッチの凸部が幅方向に設けられて、長手方向に沿って凹凸状に形成され、しかも、ベース及びカバーの各凸部のピッチは、同一であるか、又は整数倍の関係にあり、前記カバーの凸部の開口側に臨む嵌合部は、前記ベースの凸部の開口側に臨む被嵌合部の外側に嵌合可能になった波付トラフであって、前記ベースの内側の凹部、又は前記カバーの外側の凹部は、略Ｕ字状をした補強具が挿入保持可能な構造になっていることを特徴としている。
【０００６】
請求項１の発明によれば、カバーの外側の凹部に補強具を挿入保持させると、該カバーの拡開変形が防止され、しかも、ベースの外側にカバーが嵌合されているため、前記カバーの拡開が防止されることにより、ベースの拡開も併せて防止される。一方、波付トラフを埋設して使用する際に、ベースの内側の凹部に補強具を挿入保持させると、該ベースの両側方から作用する土圧等により、その開口幅が狭められる収縮変形に抗することができる。このため、補強具によるカバー、或いはベースの強度の増大と、カバー及びベースの長手方向に沿った凹凸構造による強度の増大とが相乗して、トラフの強度が一層高められる。
【０００７】
請求項２の発明は、請求項１に記載の波付トラフと、該波付トラフを構成するベースの内側の凹部、又は同様のカバーの外側の凹部に挿入保持される略Ｕ字状をした補強具とで波付トラフ装置を構成したことを特徴としている。
【０００８】
請求項２の発明によれば、波付トラフを構成するベース及びカバーに設けられている凹部に対して補強具を挿入保持する構成であって、補強具挿入のためにのみ凹部を設けるものではないので、補強具を別途設けるのみで、波付トラフの強度が高められる。
【発明の効果】
【０００９】
本発明に係るトラフは、ベースの内側の凹部、又はカバーの外側の凹部に挿入保持された補強具によって、ベース、或いはカバーの強度が高められて、ベースの収縮変形、或いはカバーの拡開変形が防止される。また、補強具の使用による強度の増大と、カバー及びベースの長手方向に沿った凹凸構造による強度の増大とが相乗して、トラフの強度が一層高められる。
【発明を実施するための最良の形態】
【００１０】
以下、実施例を挙げて、本発明について、更に詳細に説明する。図１は、本発明に係る波付トラフＴの斜視図であり、図２は、同じく分解斜視図であり、図３は、同じく正面図であり、図４は、図３のＸ1 −Ｘ1 線拡大断面図であり、図５は、図４の係止部の部分の拡大図であり、図６は、図３のＸ2 −Ｘ2 線拡大断面図であり、図７は、図３のＹ−Ｙ線断面図である。
【００１１】
本発明に係る波付トラフＴは、図１ないし図３に示されるように、合成樹脂の押出成形品であって、ベースＢと、これに覆蓋されるカバーＣとで構成される。ベースＢは、その横断面形状が略Ｕ字状であって、上面が開口しており、その外側に断面略台形状のベース側凸部１が、長手方向に一定ピッチＰをおいて設けられることにより、隣接するベース側凸部１の間に、上記とほぼ同様の略台形状の横断面を有するベース側凹部２が設けられた構成である。この結果、相対的に、ベースＢの内側のベース側凸部１及びカバー側凹部１２の部分は、それぞれ内側凹部１’及び内側凸部２’となっている。また、前記ベース側凸部１の両端の開口に臨む部分１ａの横断面形状は、他の部分の横断面形状に対して相似小形となっていて、カバーＣの嵌合部１３が外側に嵌合される被嵌合部３を構成しており、両ベース側凸部１，１ａの接続部は、段差状に形成されて、当接段差部４が設けられている。また、前記各被嵌合部３の外側には、上面が傾斜面となった被係止突起５が設けられている。
【００１２】
一方、前記カバーＣは、その横断面形状が略逆Ｕ字状であって、下面に開口しており、その外側に、長手方向に前記ピッチＰと同一ピッチをおいてカバー側凸部１１が設けられて、隣接するカバー側凸部１１の間に、カバー側凹部１２が設けられた構成である。図３に示されるように、カバー側凸部１１の幅Ｗ2 は、ベース側凸部１の幅Ｗ1 よりも大きい。前記カバー側凸部１１は、全域に亘って同一断面形状を有していて、その両端の開口に臨む部分は、前記ベースＢの被嵌合部３の外側に嵌合される嵌合部１３を構成している。また、図４に示されるように、前記ベースＢ及びカバーＣにおける各凸部１，１１の部分の幅Ｑは、同一であって、ベースＢにカバーＣを覆蓋した状態で、その側面に突出部が存在しない構成にしてある。また、カバー側凸部１１の両端の開口に臨む部分に形成された前記嵌合部１３の開口側端部には、ベースＢの前記被係止突起５に対して係止可能な係止突起１５が内方に向けて突設されている。
【００１３】
また、図１ないし図６に示されるように、ベースＢの外側にベース側凸部１を設けることにより、相対的に、その内側に凹部１’が形成され、該凹部１’に、ベースＢの横断面形状に対応した略Ｕ字形のベース側補強具Ｒ1 が挿入保持される。図４に示されるように、前記ベース側補強具Ｒ1 の両端部（使用状態において起立部の上端部）は、前記内側凹部１’に侵入した状態となっている前記当接段差部４を構成する板部との間に所定の間隔をおいて挿入保持される。一方、カバーＣの凹部１２には、該カバーＣの横断面形状に対応した略Ｕ字形のカバー側補強具Ｒ2 が挿入保持される。このカバー側補強具Ｒ2 は、図６に示されるように、前記挿入保持状態において、その両端（使用状態において起立部の下端）が、前記カバーＣの下端面から突出しない寸法にしてある。
【００１４】
上記実施例の波付トラフＴは、ベースＢにカバーＣを覆蓋した状態で、その（幅×高さ）は、約（２００×１５０ｍｍ）であって、その長さは、４〜５ｍで使用され、前記ベース側及びカバー側の各補強具Ｒ1,Ｒ2 は、それぞれ０．５〜１ｍのピッチをおいて挿入保持される。この補強具Ｒ1,Ｒ2 は、波付トラフＴが屋外敷設されることを考慮して、耐蝕性を有するステンレス鋼等で製作され、いずれも僅かに弾性変形されて挿入保持されることが好ましい。即ち、ベース側及びカバー側の各補強具Ｒ1,Ｒ2 は、非使用状態において挿入保持状態に対してそれぞれ僅かに拡開、及び収縮させておくと、その挿入保持状態では、その起立部が弾性変形して、それぞれベースＢの内側面、及びカバーＣの外側面に弾接して、外れにくくなる。
【００１５】
そして、前記トラフＴは、そのベースＢに前記ベース側補強具Ｒ1 を挿入保持させた状態で、ケーブル類の布設位置に敷設しておいて、その内部にケーブル類を落し込んで収容し、その後に、ケーブル類Ｄが収容されたベースＢに対してカバーＣを覆蓋させると、カバーＣの嵌合部１３又はベースＢの被嵌合部３が僅かに弾性変形して、ベースＢの被嵌合部３の外側に、カバーＣの嵌合部１３が嵌合されると同時に、ベースＢの被係止突起５とカバーＣの係止突起１５とが互いに係止されて、ベースＢに対してカバーＣが外れにくくなる。また、図４ないし図６に示されるように、ベースＢにカバーＣが覆蓋された状態では、カバーＣの下端面は、ベースＢの当接段差部４に当接している。
【００１６】
ここで、カバー側凹部１２に一定ピッチをおいて補強具Ｒ2 が挿入保持されているために、トラフＴを屋外に敷設して使用する場合において、前記カバー側補強具Ｒ2 によって、太陽熱等によるカバーＣの拡開が防止される。その結果、ベースＢの外側にカバーＣが嵌合されているために、ベースＢの拡開も同時に防止される。また、波付トラフＴが埋設使用される場合には、ベースＢの内側の凹部１’に挿入されたベース側補強具Ｒ1 によって、ベースＢの両側部に土圧等が作用した場合において、その開口幅が小さくなるような変形に抗することができ、結果として、ベースＢの強度が高められる。このように、ベースＢ及びカバーＣの各凹部１',１２にそれぞれ挿入保持された補強具Ｒ1,Ｒ2 によって、ベースＢ及びカバーＣの強度が高められ、ベースＢ及びカバーＣの長手方向に沿った凹凸構造と相俟って、トラフＴの全体強度が一層高められる。
【００１７】
また、カバー側凸部１１の幅Ｗ2 は、ベース側凸部１の幅Ｗ1 よりも大きくなっていて、しかもベースＢの被嵌合部３を構成しているベース側凸部１の開口に臨む部分１ａは、他の部分の幅Ｗ1 よりも小さくなっているので、図７に示されるように、ベースＢに対してカバーＣを覆蓋して、ベースＢの被嵌合部３の外側にカバーＣの嵌合部１３を嵌合させた状態では、ベースＢとカバーＣとは、一定範囲内において、その長手方向に相対的に移動し得る構造となっている。このため、ベースＢに対してカバーＣを覆蓋させる際には、ベースＢの被嵌合部３に対してカバーＣの嵌合部１３が長手方向に沿って多少ずれていても、ベースＢに対してカバーＣの覆蓋は、可能となる。よって、ベースＢに対するカバーＣの覆蓋操作は、容易である。
【００１８】
また、ベースＢにカバーＣを覆蓋した状態では、カバー側凸部１１の幅Ｗ2 は、ベース側凸部１の幅Ｗ1 よりも広くなっていて、ベースＢの当接段差部４にカバーＣの端面が当接した状態では、カバー側凸部１１がベース側凸部１を覆っているために、カバーＣを伝わって落下する雨水等が、前記当接段差部４からベースＢの内部に浸入することはない。このため、屋外使用においても、トラフＴに収容されたケーブル類Ｄが雨水等により腐食される恐れもない。
【００１９】
また、上記実施例では、カバーＣの外側の凹部１２にカバー側補強具Ｒ2 を挿入保持すると共に、ベースＢの内側の凹部１’にベース側補強具Ｒ1 を挿入保持してあるが、波付トラフＴの設置状態に対応して、ベースＢ又はカバーＣのいずれか一方の側のみに補強具Ｒ1,Ｒ2 を挿入保持して、使用することも可能である。
【００２０】
更に、上記実施例は、トラフＴを構成するベース側及びカバー側の各凸部１，１１のピッチＰが同一の場合であるが、例えば、ベースの凸部のピッチが、カバーＣの凸部のピッチの２倍であって、一定長におけるベースとカバーの各凸部の数に相違があっても、各ピッチが整数倍の関係にあれば、ベースの被嵌合部の外側に、カバーの嵌合部を嵌合させられる。
【図面の簡単な説明】
【００２１】
【図１】本発明に係る波付トラフＴの斜視図である。
【図２】同じく分解斜視図である。
【図３】同じく正面図である。
【図４】図３のＸ1 −Ｘ1 線拡大断面図である。
【図５】図４の係止部の部分の拡大図である。
【図６】図３のＸ2 −Ｘ2 線拡大断面図である。
【図７】図３のＹ−Ｙ線拡大断面図である。
【符号の説明】
【００２２】
Ｂ：ベース
Ｃ：カバー
Ｄ：ケーブル類
Ｐ：ベース及びカバーの凸部のピッチ
Ｑ：ベース及びカバーの凸部の部分の幅
Ｒ1 ：ベース側補強具
Ｒ2 ：カバー側補強具
１：ベース側凸部
１’：ベースの内側の凹部
３：ベースの被嵌合部
４：ベースの当接段差部
５：ベースの被係止突起
１１：カバー側凸部
１２：カバー側凹部
１３：カバーの嵌合部
１５：カバーの係止突起
【図１】
2006014599.tif 000003
【図２】
2006014599.tif 000004
【図３】
2006014599.tif 000005
【図４】
2006014599.tif 000006
【図５】
2006014599.tif 000007
【図６】
2006014599.tif 000008
【図７】
2006014599.tif 000009